(57)【特許請求の範囲】
【請求項１】
場内と場外との間に設けた管理区域と、前記管理区域に設けた扉及び前記扉の開閉を制御する扉駆動制御部と、前記管理区域に設けた入域者の掌形を検出する掌形検出器と、入域者に接触した空気を放電部によりイオン化し、このイオン化した空気を分子量として検出する質量分析器と、検出された前記掌形と前記分子量とを登録された掌形及び危険物の分子量と照合して照合結果を前記扉駆動制御部に入力する制御処理部とを備えた出入管理システムにおいて、前記掌形検出器に隣接して入域者の手の近傍の空気を吸引する吸引パイプを設け、この吸引パイプにより吸引された空気を前記質量分析器で分析するように構成すると共に、前記制御処理部は、危険物の分子量を検出したときに発する危険信号を、掌形が一致したときに発する識別信号より速く前記扉駆動制御部に扉の開閉指令を指示するように構成されていることを特徴とする出入管理システム。
【発明の詳細な説明】
【０００１】
【発明の属する技術分野】
本発明は原子力発電所などの重要な設備に出入する人を管理する出入管理システムに関する。
【０００２】
【従来の技術】
従来の出入管理ゲートは、管理区域に入域させて良いかどうかチェックのみを実施していた。例えば、入域者の資格をチェックするために、個人情報をシステム側に記憶しておき、入域しようとする人は、システム側が個人情報を識別するために、ＩＤカードなどをシステムに読ませて、その情報から記憶している個人情報を検索して、入域させて良いかどうかシステム側で判断する。
【０００３】
出入管理ゲートは、上記ＩＤカードを読み込むカードリーダと、人の通過を制御する扉を最低限具備している。入域する人が、危険物を所持しているかどうかは、出入管理ゲートとは別に、空港などで使用されている金属探知器などで別に管理されており、通過の制止は、人手に頼っている。尚、出入管理設備として特開平１１−３５２０３２号公報に記載された技術を挙げることができる。
【０００４】
【発明が解決しようとする課題】
上記従来技術では、危険物として金属を探知するのみであり、入域場所が発電所などでは、工具などを持ち込むことが多く、通過者は別途工具などを別に通過させて、通過する必要がある。また、金属のみを探知しており、凶悪な爆発物の持ち込みに際しては、効果を発揮出来ない。従って、より危険な危険物を容易に探知できて、出入管理を実施する出入管理ゲートが必要である。
【０００５】
本発明の目的は、危険物を取り扱った入域者を確認し、事件を事前に防止する出入管理システムを提供することにある。
【０００６】
【課題を解決するための手段】
上記課題を解決するために、本発明の出入管理システムは、管理区域に居る入域者に接触した空気を放電部によりイオン化し、このイオン化した空気を質量分析器により分子量として検出し、この分子量が制御処理部に登録された危険物の分子量として検出された時には、その危険物信号を入力した扉駆動制御部により入域者の進行方向の扉を閉じるようにして、危険物を取り扱った入域者の入場を阻止する。
【０００７】
【発明の実施の形態】
図１に示す出入管理ゲートの断面図が図２である。図３は出入管理ゲート内の一部を示す図であり、図４，５は掌形検出装置の一部を示すものである。
【０００８】
図１に示す出入管理ゲート１は、場内と場外との間に管理区域２を設け、管理区域２の場外と場内との間に入口側扉３及び出口側扉４を設け、これらの扉の開閉は図６の扉駆動制御部２１により行う。
【０００９】
図１、図２に示すように入域者５の通過を制限する入口側扉３であり、反対側にも出口側扉４があり、入域する場合は、入域者５は、表示灯６を見て使用可能かどうか判断して、使用可能な場合は入域ボタン７を押して、出入管理ゲート内つまり管理区域２に入域する。入域すると入口側扉４が閉まり、入域者は出入管理ゲート内に閉じこめられる。入域すると図３の様な通路パネル９があり、入域者５は、まずカードリーダ１０ｚにＩＤカードを読ませる。
【００１０】
システムは、個人識別手段であるＩＤカードを読むと、表示器８に手を掌形検出装置１０に置くようにガイダンスを表示する。入域者５が手を掌形検出装置１０に置くと共に、吸引パイプ１１を通して、入域者５の手近傍の空気を質量分析器１２に送る様になっている。尚、入域者５が管理区域２に入域すると、表示器８に手を掌形検出装置１０に置く旨ガイダンスを表示してもよい。
【００１１】
掌形検出装置１０は図４，５に示すように支持板１０ａに反射鏡１０ｂを設け、反射鏡１０ｂの左右は傾斜面に傾斜鏡１０ｃを設けている。反射鏡１０ｂに入域者５の手５ａを置くと、反射鏡１０ｂ及び傾斜鏡１０ｃにより入域者５の掌形５ｂ及び入域者の手の厚さＴを矢印方向で検出して、上方に配置したデジタルカメラ（ＣＣＤ）により複数の個人の掌形データとして図６の制御処理部２０に入力する。ＩＤカード１０ｚはＩＤ番号に応じて、予め制御処理部２０に記憶されている複数の個人情報を検索する。掌形データとＩＤカードとを両方使用してもよいが、この実施例では掌形データを使用する場合を説明する。
【００１２】
質量分析器１２は入域者５に接触した空気をコロナ放電部１２ａに吸引し、コロナ放電部１２ａにより空気をイオン化し、質量分析器１２により分子量として検出する。分子量は制御処理部２０に入力する。制御処理部２０には予め常時管理区域を通過する入域者の掌形データが登録されている。また危険物例えば爆発物及び麻薬等の分子量も登録されている。
【００１３】
次に、入域者５が場外から入域した管理区域２から場内に入るまでの通過順序を図６ないし図１０により説明する。
【００１４】
図７に示すように入口側扉３と出口側扉４とは閉じた状態にある。この状態において、入域者１は、表示灯６を見て使用可能かどうか判断して、使用可能な場合は入域ボタン７を押し、図８とように入口側扉３が開き、入域者５は図９のように管理区域２に入域する。図９の床面下には区域内スイッチ１３が配置されており、この区域内スイッチ１３がオンすると、入口側扉３は閉じる。
【００１５】
図９の状態で入域者５は手５ａを掌形検出装置１０に置く、反射鏡１０ａ及び傾斜鏡１０ｂにより入域者１の掌形５ｂ及び手５ａの厚さＴを矢印方向に検出し、上方に配置したデジタルカメラ（ＣＣＤ）により複数の個人の掌形データとして図６の制御処理部２０に入力する。
【００１６】
また吸引パイプ１１を通して、入域者５の手５ａ近傍の空気をコロナ放電部１２ａによりイオン化し、質量分析器１２に入力し、質量分析器１２により分子量として検出し、制御処理部２０に入力する。
【００１７】
制御処理部２０に入力された掌形及び分子量は、制御処理部に登録された掌形データ及び危険物の分子量と照合される。照合された結果、危険物の分子量に該当せず、掌形データが一致する場合には、図１０のように出口側扉４を開放し、入域者５が管理区域２から場内に入場し、区域内スイッチ１３はオフして、出口側扉４を図７のように閉じる。
【００１８】
また、制御処理部２０では検出された分子量が登録された危険物の分子量に該当し、危険物の分子量が検出されている時には、検出した掌形データと記憶された掌形データとが一致し、出口側扉４への開放指令よりも優先して、入域者５の進行方向の出口側扉４を閉じるように扉駆動制御部２１に指示し、出口側扉４を閉じる。
【００１９】
そして、制御処理部２０より危険物の分子量の危険信号Ｓ１と掌形データの掌形信号Ｓ２とが同時に発信した場合には、掌形信号Ｓ２は遅延回路２２に入力されので、この間に危険信号Ｓ１が掌形信号Ｓ２より速く扉駆動制御部２１に到着すると共に、危険信号Ｓ１の電流を電流検出器２３で検出し、掌形データ側の掌形側スイッチ２４を開く。掌形側スイッチ２４は危険信号Ｓ１が流れ無くなると、閉じる。この結果、扉駆動制御部２１により出口側扉４が閉じ、危険物を扱った入域者５が場内に入場するのを阻止することができるので、危険物を取り扱った入域者５を確認し、事件を事前に防止することができる。
【００２０】
また掌形検出装置１０に隣接して、吸引パイプ１１を設けたので、入域者５の手近傍の空気を吸引すればよいから、管理区域全体の空気を吸引するのに比べて、空気吸引量が少なくてよく、質量分析器１２で分子量を検出す時間及び制御処理部２０により分子量を照合する処理時間を短縮できると共に、小型の質量分析器１２を使用できる長所もある。特に、爆発物に含まれるニトログリセリンなどの化学物質は、触った後も手に付着しており、容易には取れないという性質があるので、手近傍の空気を吸引することは危険物を検出するのにより有効である。
【００２１】
また掌形検出装置１０により入域者５の手近傍の空気を吸引すれば、管理区域は入域者を案内するガイド間に扉を設けると共に、ガイドに掌形検出装置１０及び空気吸引口を設ければよいから、出入管理システムを簡素化することができる。更に掌形を識別表示手段に利用するので、ＩＤカードのように持参するのを忘れて場内に入場できない恐れがない。
【００２２】
更に、掌形信号Ｓ２の方が危険信号Ｓ１より速い場合にも遅延回路２２で調整して、危険信号Ｓ１が掌形信号Ｓ２より速く扉駆動制御部２１に到着することができるが、遅延回路２２で調整している間に危険信号Ｓ１が通過しな時には、掌形信号Ｓ２により、出口側扉４への開放指令を扉駆動制御部２１に指示する。
【００２３】
更に、入域者が場内から管理区域を通過して場外に出る場合には、上述と逆にすればよい。また多数の入域者が場内に通勤する場合及び退勤する場合には、出口側扉及び入口側扉を開放し入域者の進行方向の最終扉のみを閉じておけばよい。また識別表示手段を保持しない不足数多数の人が出入りする場所では、危険物を検出する質量分析器を設置すればよい。尚、識別表示手段には通過許可書例えば切符、入場券等も含まれる。更に、掌形検出装置は入域者の掌形及び手の厚さＴを電磁超音波等の公知方法を使用して、測定してもよい。
【００２４】
更に、この実施例では発明を判り易くするために遅延回路、掌形側スイッチを設けたが、遅延回路及び掌形側スイッチの作用は制御処理部のソフトにより処理できるので、遅延回路及び掌形側スイッチは省略することができる。制御処理部には遅延回路又は掌形側スイッチと同様な作用をするソフトにより処理する。また遅延回路のみを設ける場合には遅延回路に危険信号を検出する検出手段を設けると更に検出精度を上げることができる。
【００２５】
次に、出入管理システムにおいてＩＤカードと掌形データとを使用したチェック方法の一例を図１１に示し説明する。システムでは、ＩＤカードに書き込まれているＩＤ番号に応じて、予めシステムで記憶されている個人情報を検索する。そして、個人情報が登録されている場合は、まず掌形データが、掌形検出装置で読まれた掌形データと合致するかどうかチェックする。合致した場合に初めて、入域の資格があるかどうかチェックする。資格チェックの最初は、危険物の分子量が検知しなかったことを確認する。
【００２６】
危険物の分子量のチェック原理は、上述のように吸引された空気内でコロナ放電を実施して、空気に含まれている物質をイオン化する。そして、イオン化された物質を質量分析器により分子量を検出して、予め登録されている危険物の分子量に該当するかどうかチェックして、危険物の分子量が含まれているかどうか確認する。
【００２７】
危険物が含まれていた場合は、システム側では警報を鳴らし、扉を完全に施錠して、入域者をゲート内に閉じこめるか、或いは入域者の進行方向の扉を閉める。危険物が含まれていなければ、入域者の個人情報をチェックしてゆく。チェックする個人情報の種類は、例えば、ＩＤカードの発行版数・入域有効期間・入域区域レベル・現在居場所・注意マーク有無等がある。
【００２８】
ＩＤカードの発行版数は、カード紛失などで再発行した場合の発行回数があっているかどうかチェックするもので、紛失したカードで無いことチェックする。
【００２９】
入域有効期間は、入域許可された期間内の通過かどうかチェックする。
【００３０】
入域区域レベルは、入域しようとしている区域に入るレベルが与えられているかどうかチェックする。
【００３１】
現在居場所は、システムでトラッキングしているカード所持者の居場所が、出入管理ゲートの場所と合致しているかどうかをチェックして、カードを２枚所持しているかなどの不正使用をチェックする。
【００３２】
注意マークは、運用者側で紛失カードなどの使用を一時的に禁止設定する機能であり、その設定がされているかどうかチェックする。
【００３３】
上記一連のチェックが実施され問題が無い場合に、初め反対側の扉を開けて入域者を入域させる。
【００３４】
設置方法としては、入域者の個人識別を実施するために設置した掌形検出装置の手を置く場所近傍の空気を吸引できる様にして、吸引した空気の質量分析器に導入するようにする。即ち、爆発物に含まれるニトログリセリンなどの化学物質は、触った後も手に付着しており、容易には取れないという性質があり、空港などでも、その性質を利用して、パスポートなどで危険物をトレースすることができる。従って、出入管理ゲート内に設置されている掌形検出装置近傍の空気を吸引して、質量分析器により分析することで、爆発物のトレースが容易に出来るので、非常にセキュリティレベルの高い出入管理システムが構築できる。
【００３５】
また、出入管理ゲート内に入域者が入った状態で危険物を検知するために、入域者の行動をゲート内に制限すれば、人手に頼らず危険物探知と入域制限出来る長所がある。
【００３６】
更に、吸引する空気を掌形検出装置の近傍に限定できるので、ゲート内全体の空気を吸引するより、装置を小型化できる。
【００３７】
【発明の効果】
以上のように本発明によれば、入域者が危険物に関連している人かどうか、また持ち込もうとしている人かどうか自動的にチェックし、危険物による事故を事前の防止することができる。
【図面の簡単な説明】
【図１】図１は本発明の実施例として示した出入管理ゲートの斜視図。
【図２】図２は図１の断面図。
【図３】図３は図１及び図２の内部を示すパネル板の斜視図。
【図４】図３に示した掌形検出装置の部分断面図。
【図５】図４の上方かた見たときの平面図。
【図６】図２ないし図５の処理ルートの制御を説明するための制御処理ブロック図。
【図７】図１ないし図６における入域者が場外から管理区域を通うり場外に至る過程を説明する断面図。
【図８】図１ないし図６における入域者が場外から管理区域を通うり場外に至る過程を説明する断面図。
【図９】図１ないし図６における入域者が場外から管理区域を通うり場外に至る過程を説明する断面図。
【図１０】図１ないし図６における入域者が場外から管理区域を通うり場外に至る過程を説明する断面図。
【図１１】出入管理システムにおいてＩＤカードと掌形データとを使用したチェック方法の一例を説明するフローチャート。
【符号の説明】
１…出入管理ゲート、２…管理区域、３…入口側扉、４…出口側扉、５…入域者、１０…掌形検出装置、１１…吸入パイプ、１２…質量分析器、２０…制御処理部、２１…扉駆動制御部、Ｓ１…危険物信号、Ｓ２…識別信号。
【図１】
0003701182.tif 000002
【図２】
0003701182.tif 000003
【図３】
0003701182.tif 000004
【図４】
0003701182.tif 000005
【図５】
0003701182.tif 000006
【図６】
0003701182.tif 000007
【図７】
0003701182.tif 000008
【図８】
0003701182.tif 000009
【図９】
0003701182.tif 000010
【図１０】
0003701182.tif 000011
【図１１】
0003701182.tif 000012